(57)【要約】【課題】ガラス固化体データを適切に管理することができるガラス固化体データ管理システム及びガラス固化体データ管理方法を提供する。【解決手段】再処理事業者から返還されたガラス固化体に関するガラス固化体データを管理するためのガラス固化体データ管理システム１００であって、ガラス固化体データの入力を受け付けるデータ入力部１と、データ入力部１で受け付けたガラス固化体データを、ガラス固化体の識別情報に対応付けて格納するデータベース２と、データベース２に格納されたガラス固化体データの閲覧要求を、ガラス固化体の識別情報とともに受け付けるデータ閲覧要求受付部３と、データ閲覧要求受付部３で受け付けた閲覧要求に係るガラス固化体データを、識別情報に基づいて前記データベースから抽出するデータ抽出部４と、データ抽出部４で抽出されたガラス固化体データを出力するデータ出力部５と、を備える。【選択図】    図１
2007071833.tif 000002
【特許請求の範囲】
【請求項１】
再処理事業者から返還されたガラス固化体に関するガラス固化体データを管理するためのガラス固化体データ管理システムであって、
前記ガラス固化体データの入力を受け付けるデータ入力部と、
前記データ入力部で受け付けたガラス固化体データを、前記ガラス固化体の識別情報に対応付けて格納するデータベースと、
前記データベースに格納されたガラス固化体データの閲覧要求を、前記ガラス固化体の識別情報とともに受け付けるデータ閲覧要求受付部と、
前記データ閲覧要求受付部で受け付けた閲覧要求に係るガラス固化体データを、前記識別情報に基づいて前記データベースから抽出するデータ抽出部と、
前記データ抽出部で抽出されたガラス固化体データを出力するデータ出力部と、
を備えることを特徴とするガラス固化体データ管理システム。
【請求項２】
請求項１に記載のガラス固化体データ管理システムにおいて、
前記データ入力部の入力画面及び前記データ出力部の出力画面は、前記再処理事業者から送付された前記ガラス固化体データを含むデータシートと同一様式であることを特徴とするガラス固化体データ管理システム。
【請求項３】
請求項１又は２に記載のガラス固化体データ管理システムにおいて、
前記データ入力部又は前記データ出力部は、前記ガラス固化体データが所定の保証値内か否かを判定し、その判定結果を画面上に表示する手段を備えることを特徴とするガラス固化体データ管理システム。
【請求項４】
請求項１から３のいずれかに記載のガラス固化体データ管理システムにおいて、
前記データ入力部又は前記データ出力部は、前記ガラス固化体データに基づいて、前記ガラス固化体の製造時の健全性を判定し、その判定結果を画面上に表示する手段を備えることを特徴とするガラス固化体データ管理システム。
【請求項５】
請求項１から４のいずれかに記載のガラス固化体データ管理システムにおいて、
前記データ入力部又は前記データ出力部は、前記ガラス固化体データをグラフ化して画面上に表示する手段を備えることを特徴とするガラス固化体データ管理システム。
【請求項６】
請求項１から５のいずれかに記載のガラス固化体データ管理システムにおいて、
前記データ入力部又は前記データ出力部は、前記ガラス固化体データに基づいて、前記ガラス固化体を所定の貯蔵施設で貯蔵できるか否かを判定し、その判定結果を画面上に表示する手段を備えることを特徴とするガラス固化体データ管理システム。
【請求項７】
請求項１から６のいずれかに記載のガラス固化体データ管理システムにおいて、
前記データ入力部又は前記データ出力部は、前記ガラス固化体データに基づいて、所定の公的機関に提出するための申請書類を自動作成する手段を備えることを特徴とするガラス固化体データ管理システム。
【請求項８】
再処理事業者から返還されたガラス固化体に関するガラス固化体データを管理するためのガラス固化体データ管理方法であって、
コンピュータが、
前記ガラス固化体データの入力を受け付けるステップと、
前記入力されたガラス固化体データを、ガラス固化体の識別情報に対応付けて格納するステップと、
ガラス固化体の識別情報を含んだデータ閲覧要求を受け付けるステップと、
前記受け付けたデータ閲覧要求に含まれる識別情報に係るガラス固化体データを前記データベースから抽出するステップと、
前記抽出されたガラス固化体データを出力するステップと、
を実行することを特徴とするガラス固化体データ管理方法。
【発明の詳細な説明】
【技術分野】
【０００１】
本発明は、ガラス固化体データ管理システム及びガラス固化体データ管理方法に関する。
【背景技術】
【０００２】
近年、原子力発電所の使用済燃料は、国外の再処理業者（例えば、仏国ＣＯＧＥＭＡ社等）によって再処理され、その際に生じた高レベル放射性廃棄物は、安定な形態に固化されたガラス固化体として国内に返還されてくる。返還されてきたガラス固化体は、所定の検査を行った後、約３０〜５０年間、冷却等のために所定の貯蔵施設で貯蔵され、最終的には地層処分される（例えば、特許文献１及び非特許文献１参照）。
【０００３】
ところで、再処理業者から返還されてきたガラス固化体には、例えば、含有放射性物質の量や、製造上の各種パラメータ等、ガラス固化体に関するデータ（以下「ガラス固化体データ」という。）が添付されており、このガラス固化体データはガラス固化体と共に保管することが要請されている。そのため、従来、所定の担当者がガラス固化体データをＯＡパソコンの凡用プログラム（例えば、ＥＸＣＥＬ等）に入力し、当該担当者のＯＡパソコン内で保管していた。さらには、このガラス固化体データに基づいて、所定の公的機関（例えば、経済産業省）に提出するための申請書類を別途作成していた。
【特許文献１】特開平１１−１４２２６０号公報
【非特許文献１】「海外から返還されるガラス固化体の管理について  しくみと安全性」（２００２．３）日本原燃株式会社発行
【発明の開示】
【発明が解決しようとする課題】
【０００４】
しかしながら、従来の技術では、ガラス固化体データを適切に管理することが困難であり、次に掲げる問題があった。すなわち、ガラス固化体データの数が膨大であるため、入力ミスが多くなってしまうという問題があった。また、ガラス固化体データを編集し、或いはこれを保証値と比較するにあたり、時間がかかってしまうという問題もあった。さらに、担当者のＯＡパソコン内では、ガラス固化体データを長期間に亘って厳重に管理することが困難であるという問題もあった。つまり、ガラス固化体データは、担当者のＯＡパソコン内で管理されているため、データの誤破壊や、部外者によるデータの閲覧・操作等の恐れがあった。また、従来の技術では、公的機関に提出するための申請書類を別途作成する必要があり、申請書類の作成作業が著しく非効率であった。
【０００５】
本発明は、上記の問題に鑑みてなされたものであり、その目的は、ガラス固化体データを適切に管理することができるガラス固化体データ管理システム及びガラス固化体データ管理方法を提供することにある。
【課題を解決するための手段】
【０００６】
上記課題を解決するために、本発明は、再処理事業者から返還されたガラス固化体に関するガラス固化体データを管理するためのガラス固化体データ管理システムであって、前記ガラス固化体データの入力を受け付けるデータ入力部と、前記データ入力部で受け付けたガラス固化体データを、前記ガラス固化体の識別情報に対応付けて格納するデータベースと、前記データベースに格納されたガラス固化体データの閲覧要求を、前記ガラス固化体の識別情報とともに受け付けるデータ閲覧要求受付部と、前記データ閲覧要求受付部で受け付けた閲覧要求に係るガラス固化体データを、前記識別情報に基づいて前記データベースから抽出するデータ抽出部と、前記データ抽出部で抽出されたガラス固化体データを出力するデータ出力部と、を備えることとする。
【０００７】
また、前記データ入力部の入力画面及び前記データ出力部の出力画面は、前記再処理事業者から送付された前記ガラス固化体データを含むデータシートと同一様式であることを特徴とする。
【０００８】
また、前記データ入力部又は前記データ出力部は、前記ガラス固化体データが所定の保証値内か否かを判定し、その判定結果を画面上に表示する手段を備えることを特徴とする。
【０００９】
また、前記データ入力部又は前記データ出力部は、前記ガラス固化体データに基づいて、前記ガラス固化体の製造時の健全性を判定し、その判定結果を画面上に表示する手段を備えることを特徴とする。
【００１０】
また、前記データ入力部又は前記データ出力部は、前記ガラス固化体データをグラフ化して画面上に表示する手段を備えることを特徴とする。
【００１１】
また、前記データ入力部又は前記データ出力部は、前記ガラス固化体データに基づいて、前記ガラス固化体を所定の貯蔵施設で貯蔵できるか否かを判定し、その判定結果を画面上に表示する手段を備えることを特徴とする。
【００１２】
また、前記データ入力部又は前記データ出力部は、前記ガラス固化体データに基づいて、所定の公的機関に提出するための申請書類を自動作成する手段を備えることを特徴とする。
【００１３】
さらに、本発明は、再処理事業者から返還されたガラス固化体に関するガラス固化体データを管理するためのガラス固化体データ管理方法であって、コンピュータが、前記ガラス固化体データの入力を受け付けるステップと、前記入力されたガラス固化体データを、ガラス固化体の識別情報に対応付けて格納するステップと、ガラス固化体の識別情報を含んだデータ閲覧要求を受け付けるステップと、前記受け付けたデータ閲覧要求に含まれる識別情報に係るガラス固化体データを前記データベースから抽出するステップと、前記抽出されたガラス固化体データを出力するステップと、を実行することとする。
【発明の効果】
【００１４】
本発明によれば、ガラス固化体データを適切に管理することができる。
【発明を実施するための最良の形態】
【００１５】
以下、添付図面を参照しながら、本発明の実施形態について説明する。  
図１は、本発明の一実施形態おけるガラス固化体データ管理システムを示す概略構成図である。図１に示すように、ガラス固化体データ管理システム１００は、データベース２を備えたホストコンピュータ１１と、データ閲覧要求受付部３及びデータ抽出部４を備えたＯＡサーバ１２と、所定のＯＡパソコン（例えば、事業所総合ＯＡパソコン）等の端末１０とを有し、この端末１０は、データ入力部１と、データ出力部５と、データ閲覧要求送信部６とを備えている。
【００１６】
データ入力部１は、ガラス固化体データの入力を受け付け、これをデータベース２に登録する。ガラス固化体データには、ガラス固化体の製造時における各種データ（例えば、含有放射性物質の量、製造上の各種パラメータ等）が含まれており、通常、所定のデータシート５０に記載され、ガラス固化体と共に再処理事業者から送付されてくる。
【００１７】
また、データ入力部１は、申請書類自動作成手段３５を備えており、ガラス固化体データに基づいて、所定の公的機関に提出するための申請書類を自動作成する。そして、このようにして作成した申請書類は、例えば、返還ガラス固化体に係る事業所外廃棄確認申請のために経済産業大臣に提出する。
【００１８】
データベース２は、データ入力部１で受け付けたガラス固化体データを、ガラス固化体の識別情報（例えば、ガラス固化体番号）に対応付けて格納する。格納されたガラス固化体データは、データベース２に登録されて長期に亘り保管される。そして、データ閲覧要求受付部３は、データ閲覧要求送信部６から送信されるガラス固化体データの閲覧要求を、ガラス固化体の識別情報とともに受け付ける。データ抽出部４は、データ閲覧要求受付部３で受け付けた閲覧要求に係るガラス固化体データを、識別情報に基づいてデータベース２からダウンロードして抽出する。また、データ出力部５は、データ抽出部４で抽出されたガラス固化体データをダウンロードして抽出する。
【００１９】
また、端末１０には、ガラス固化体データが所定の保証値内か否かを判定し、その判定結果を画面上に表示する保証値判定手段３１と、ガラス固化体データに基づいて、ガラス固化体の製造時の健全性を判定し、その判定結果を画面上に表示する健全性判定手段３２と、ガラス固化体データをグラフ化して画面上に表示するグラフ化手段３３と、ガラス固化体データに基づいて、ガラス固化体を所定の貯蔵施設で貯蔵できるか否かを判定し、その判定結果を画面上に表示する貯蔵判定手段３４と、を備えている。
【００２０】
なお、申請書類自動作成手段３５は、データ入力部１ではなくデータ出力部５に備えられていてもよい。また、保証値判定手段３１、健全性判定手段３２、グラフ化手段３３、及び貯蔵判定手段３４は、いずれもデータ出力部５ではなくデータ入力部１に備えられていてもよい。
【００２１】
次に、図２〜図７を参照しながら、端末１０の入力画面及び出力画面の様式例について説明する。図２はデータ入力部１の入力画面の様式例を示す図、図３はデータ出力部５の出力様式を示す図であり、図４は図２とは別の入力画面の様式例を示す図、図５は図４のデータを転送して自動作成した申請書類の一例を示す図である。また、図６はガラス組成をグラフ化した出力画面の様式例を示す図であり、図７は製造時におけるガラス固化体の注入速度を評価するための入力画面の様式例を示す図である。
【００２２】
図２及び図３に示すように、データ入力部１の入力画面及びデータ出力部５の出力画面は、再処理事業者から送付されたデータシート５０と同一様式のガラス組成計算シートで構成されている。このガラス組成計算シートには、例えば、ガラス固化体番号２１、廃液バッチ番号２２、核分裂性生成物２３、微粒子２４、理論重量２５、実測重量２６、ロット番号２９、ガラスの原料３０、等のデータが入力される。
【００２３】
また、ガラス固化体データに係るガラス組成として、例えば、ＳｉＯ２、Ａｌ２Ｏ３、Ｂ２Ｏ３、Ｎａ２Ｏ、Ｌｉ２Ｏ、ＣａＯ、ＭｇＯ、ＺｎＯ、Ｆｅ２Ｏ３、ＮｉＯ、Ｃｒ２Ｏ３、Ｐ２Ｏ５、ＺｒＯ２、ＦＰ酸化物、アクチニド酸化物、金属粒子、等のデータが入力される。すなわち、各々のガラス組成について、ＦＰ供給量、ファイン供給量、ガラス原料供給量、に関する濃度（ｇ／ｌ）、重量（ｋｇ）、組成比（％）、等のデータが入力される。
【００２４】
さらに、ＳｉＯ２とＡｌ２Ｏ３とＢ２Ｏ３との合計量２７が入力され、６０％を超えているか否かを判定する。また、ＦＰ酸化物とアクチニド酸化物とＺｒＯ２と金属粒子との合計量２８が入力され、７．５％〜１８．５％の範囲内にあるか否かを判定する。上記の各データ欄には、データシート５０に記載されているガラス固化体データをそのまま入力する。
【００２５】
図２及び図３に示した入力画面及び出力画面は、再処理事業者から送付されたデータシート５０と同一様式であるため、ガラス固化体データをデータ変換することなく、データ入力部１に入力するとともに、データ出力部５に出力することができる。そのため、入力ミスが低減するとともに、入力データの確認作業も効率化する。
【００２６】
また、図２に示した入力画面とは別に、図４に示すような様式の入力画面（例えば、ＥＸＣＥＬ）を作成しておき、この入力画面に入力されたガラス固化体データを申請書類自動作成手段３５でそのまま転送して、図５に示すような申請書類（例えば、一太郎）を自動作成することとしてもよい。なお、図４に示す「１回目」及び「２回目」の各データは、それぞれ図５に示す［上段：第１回目注入」及び［下段：第２回目注入」の各データに対応しており、各データ欄に転送される。
【００２７】
図６は、ガラス固化体データに係るガラス組成（例えば、ＳｉＯ２，Ｂ２Ｏ３）をグラフ化した出力画面の様式例を示す図であり、（ａ）はＳｉＯ２の組成割合（ｗｔ％）を示し、（ｂ）はＢ２Ｏ３の組成割合（ｗｔ％）を示す。
【００２８】
図６（ａ）及び図６（ｂ）に示すように、ＳｉＯ２，Ｂ２Ｏ３の組成割合（ｗｔ％）は、ガラス固化体の固化体番号ごとにグラフ化されている。これらのグラフは、グラフ化手段３３によってガラス組成のデータがグラフ化されたものであり、ＳｉＯ２，Ｂ２Ｏ３の組成割合は、いずれも上限値及び下限値の範囲内、すなわち保証値内にあることが表示されている。但し、グラフ化するガラス組成のデータとしては、同図に示したＳｉＯ２，Ｂ２Ｏ３に関するデータに限定されるものではない。なお、保証値判定手段３１による判定結果（○）が画面右側に表示されている。
【００２９】
図７は、ガラス固化体データに係る製造時におけるガラス固化体の注入速度を評価するための入力画面の様式例を示す図である。
【００３０】
図７に示すように、ガラス固化体の製造時における最小注入速度（ｋｇ／ｈ）、注入量（ｋｇ）、時間（ｍｉｎ）等の各種のデータは、ガラス固化体の固化体番号ごとに表示される。同図の各データ欄には、前述のデータシート５０に記載されたガラス固化体データをそのまま入力する。そして、健全性判定手段３２によって、ガラス固化体の製造時における注入速度と所定の計算式に基づいて算出したデータとを比較し、かかる注入速度が所定の範囲内にあるか否かを評価してガラス固化体の健全性を判定する。なお、その判定結果は、図示していないが画面上の所定欄に表示される。
【００３１】
上記構成のガラス固化体データ管理システム１００において、所定の担当者は、再処理事業者から送付・提出されたデータシート５０（例えば、帳票）を確認する。そして、このデータシート５０に記載されているガラス固化体データを、端末１０のデータ入力部１を用いてホストコンピュータ１１のデータベース２に登録する。データ入力部１によるデータの入力は、データシート５０を転記する形式で入力することとする。また、データ入力後のデータベース２の更新は、オンラインでリアルタイムに行う。登録したデータは、図示しない端末１０の更新結果確認画面上に表示し、正確に登録されたか否かのチェックを行う。なお、更新結果確認画面上に表示するデータは、新規登録データ及び変更データのみとする。
【００３２】
さらに、上記のようにして保管された保管データを有効活用するために、データ内容に応じてデータを整理する機能を付加することが好ましい。整理されたデータは、端末１０を活用して確認するものとし、例えば、ＥＸＣＥＬにて一覧表示し、グラフ編集する。また、ＯＡサーバ１２のデータは、ホストコンピュータ１１のデータベース２から再編可能な形式（例えば、テキストファイル）とする。担当者は端末１０から必要に応じて個別のガラス固化体データを照会し、あるいは所定のパソコンから全体のガラス固化体データを照会することができる。また、照会したガラス固化体データを任意に集計し、照会リストをプリンタに出力することもできる。そして、担当者は、所定のパソコンから所定のガラス固化体データが保証値内にあるか否かを確認するとともに、他のガラス固化体データとの横並びをグラフに表示して確認することができる。なお、表示したグラフは、所定のプリンタに出力することができる。
【００３３】
さらに、上記のようにして保管された保管データの漏洩を防止するために、次のようなセキュリティ機能を設けることが好ましい。すなわち、ホストセキュリティ管理機能を利用してシステムの使用者を限定するとともに、ユーザＩＤ（例えば、社員コード）やパスワード（例えば、原燃サイクル担当者が任意に設定した暗証番号）を入力することとしてガラス固化体データを保護することが好ましい。
【００３４】
なお、上記のデータ出力部５は、貯蔵判定手段３４を備え、ガラス固化体データに基づいて、ガラス固化体を所定の貯蔵施設で貯蔵できるか否かを判定し、その判定結果を画面上に表示することとしてもよい。かかる貯蔵判定は、再処理事業者の再処理施設内で測定したガラス固化体の放射線の線量率測定値に基づいて、国内の貯蔵施設内に当該ガラス固化体を受け入れる際の放射能濃度を予測して行う。
【図面の簡単な説明】
【００３５】
【図１】ガラス固化体データ管理システムを示す概略構成図である。
【図２】データ入力部の入力様式を示す図である。
【図３】データ出力部の出力様式を示す図である。
【図４】図２とは別のデータ入力部の入力様式を示す図である。
【図５】図４のデータを転送して自動作成した申請書類の一例を示す図である。
【図６】ガラス組成をグラフ化した出力様式を示す図である。
【図７】ガラス固化体の注入速度を評価するための入力様式を示す図である。
【符号の説明】
【００３６】
１  データ入力部
２  データベース
３  データ閲覧要求受付部
４  データ抽出部
５  データ出力部
６  データ閲覧要求送信部  
１０  端末  
１１  ホストコンピュータ
１２  ＯＡサーバ
３１  保証値判定手段
３２  健全性判定手段
３３  グラフ化手段
３４  貯蔵判定手段
３５  申請書類自動作成手段
５０  データシート
１００  ガラス固化体データ管理システム
【図１】
2007071833.tif 000003
【図２】
2007071833.tif 000004
【図３】
2007071833.tif 000005
【図４】
2007071833.tif 000006
【図５】
2007071833.tif 000007
【図６】
2007071833.tif 000008
【図７】
2007071833.tif 000009